(57)【要約】【課題】０／４理論及びＫＪ法に基づき構造化されたオントロジーを用いたボトムアップ型の検索を実現し、該検索で得た情報を用いてツアープランを自動生成すること。【解決手段】、０／４理論及びＫＪ法に基づいて階層構造化したオントロジーを生成するオントロジー生成部１０と、オントロジーを参照して、入力されたキーワードについて検索を実行する検索部３と、を備えた検索システムが提供される。ここで、より詳細には、オントロジー生成部１０は、０／４形式化により、動詞的なもの、名詞的なもの、修飾語的なものに少なくとも分類した後、ＫＪ法により階層構造化している。【選択図】図１
2018018183.tif 000002
【特許請求の範囲】
【請求項１】
０／４理論及びＫＪ法に基づいて階層構造化したオントロジーを生成するオントロジー生成部と、上記オントロジーを参照して、入力されたキーワードについて検索を実行する検索部と、を備えた検索システム。
【請求項２】
上記オントロジー生成部は、０／４形式化により、動詞的なもの、名詞的なもの、修飾語的なものに少なくとも分類した後、ＫＪ法により階層構造化している
請求項１に記載の検索システム。
【請求項３】
０／４理論及びＫＪ法に基づいて階層構造化されたオントロジーを参照して、入力されたキーワードについて検索を実行する検索部と、
上記検索部により抽出された各Ｗｅｂサイトのコンテンツより位置情報を特定し、該位置情報をタグと共に検索結果に埋め込むタグ埋込部と、
上記位置情報に基づき旅行行程表を生成するツアープラン生成部と、を備えた
ツアープラン生成システム。
【請求項４】
上記オントロジーは、０／４形式化により、動詞的なもの、名詞的なもの、修飾語的なものに少なくとも分類した後、ＫＪ法により階層構造化している
請求項３に記載のツアープラン生成システム。
【請求項５】
ユーザの端末とサーバ装置とが接続されたツアープラン生成システムにおいて、
前記サーバ装置は、
０／４理論及びＫＪ法に基づいて階層構造化されたオントロジーを生成するオントロジー生成部と、
前記端末でのＷｅｂページの表示に切り替わりに際しては、前記オントロジーに基づいてＷｅｂページを読み出し、前記端末にて表示の切り替えを促す主制御部と、
前記端末からの要求に基づいて、経路探索を行う経路探索部と、
前記経路探索の結果に基づいてツアープランを生成するツアー生成部と、を備え、
前記主制御部は、前記端末が、前記経路探索の結果を表示するときは、各観光スポット間に存在する更なる観光スポット、宿泊施設、及び飲食店の位置情報をフラグ形式で地図上に表示するように促し、前記ツアープランに組み込むべき更なる観光スポット、宿泊施設、及び飲食店の追加を受け付け、
前記ツアー生成部は、前記経路探索の結果に加えて、前記追加された更なる観光スポット、宿泊施設、及び飲食店の情報に基づいてツアープランを生成する
ツアープラン生成システム。
【請求項６】
前記経路探索部は、経路探索により経路を定めるとき、当該経路上にある前記更なる観光スポット、宿泊施設、及び飲食店の位置情報と紐づけられたフラグを自動的に生成する
請求項５に記載のツアープラン生成システム。
【請求項７】
ツアー生成部により生成されたツアープランを表示するＷｅｂページでは、地域のクリエータの地域プロモーションコンテンツの購入サイトへのリンクが貼られ、かつツアープランを利用して観光を実施したＳＮＳユーザがそれぞれの地域で出会った特産物をサイト内のブログのページで販売可能としたことを特徴とする
請求項５に記載のツアープラン生成システム。
【請求項８】
前記購入サイトでの実購入があるときは、仮想貨幣に係るポイントプログラムに基づく決済を行うことを特徴とする
請求項７に記載のツアープラン生成システム。
【請求項９】
０／４理論及びＫＪ法に基づいて階層構造化されたオントロジーを参照して、入力されたキーワードについて検索を実行するステップと、
上記検索により抽出された各Ｗｅｂサイトのコンテンツより位置情報を特定し、該位置情報をタグと共に検索結果に埋め込むステップと、
上記位置情報に基づき旅行行程表を生成するステップと、を有し、
上記オントロジーは、０／４形式化により、動詞的なもの、名詞的なもの、修飾語的なものに少なくとも分類した後、ＫＪ法により階層構造化している
ツアープラン生成方法。
【請求項１０】
ＳＮＳメンバーが質問可能なシステムであって、
０／４理論及びＫＪ法に基づいて階層構造化したオントロジーを生成するオントロジー生成部と、
上記オントロジーを参照して、入力されたキーワードにつき検索を実行する検索部と、
上記質問に係る投稿を受け付け、解析し、該質問の回答に適切なＳＮＳメンバーを特定して、上記質問を転送する投稿解析部と、を備え、
上記オントロジー生成部は、０／４形式化により、動詞的なもの、名詞的なもの、修飾語的なものに少なくとも分類した後、ＫＪ法により階層構造化しており、
上記質問がなされたときには、上記検索部による検索結果と、上記ＳＮＳメンバーによる回答とを合わせて提示する
コミュニケーションシステム。
【請求項１１】
０／４理論及びＫＪ法に基づいて階層構造化されたオントロジーを参照して、入力されたキーワードについて検索を実行する検索部と、
上記検索部により抽出された各Ｗｅｂサイトのコンテンツに基づいて管理画面を生成しコンテンツの選択を促し、該コンテンツの選択に基づいて旅行代理店トップ画面を生成する画面生成部と、を備えた
ツアープラン生成システム。
【発明の詳細な説明】
【技術分野】
【０００１】
本発明は、例えば０／４理論やＫＪ法等により階層化されたオントロジーに基づきボトムアップ型の検索を実施する検索システム、及び該検索システムによる検索結果を用いてツアープランを生成するツアープラン生成システム、ツアープラン生成方法、並びに該検索システムを媒介として人と人とがつながるコミュニケーションシステムに関する。
【背景技術】
【０００２】
従来、Ｗｅｂ上でのキーワード検索においては、検索者の興味の対象をいかに精度よく読み取り、膨大なＷｅｂサイトから該興味の対象に合致したものを精度よく抽出できるかが重要視されており、そのための技術も種々提案されている。
【０００３】
この種の技術として、人が興味を示す際に使用する可能性のある予め定めた動詞を興味語として格納し、動詞とその動詞と文脈上で対となる名詞をセットとして抽出し、この抽出した各セットにおける動詞が興味語に該当するか否かを判別し、該当する場合にはそれとセットになった名詞を検索する情報処理装置が提案されている（例えば、特許文献１等参照）。この技術によれば、動詞が興味語である場合、それとセットとなる名詞を検索するので、比較的新しい名詞にも対応できる。
【０００４】
一方、インターネット上の情報をユーザの所望する対象向けに加工、編集することも一般になされているが、例えばインターネット上の情報を用いて旅行プランを提供するシステムについて開示したものもある（例えば、特許文献２等参照）。インターネット上の情報は膨大であることから、このように、必要な情報を必要な形式に落とし込むことについては、一定にニーズがあるであろう。
【先行技術文献】
【特許文献】
【０００５】
【特許文献１】特開２０１５−０３８７８１号公報
【特許文献２】特開２０１４−１４２７８４号公報
【発明の概要】
【発明が解決しようとする課題】
【０００６】
しかしながら、膨大なＷｅｂサイトから検索者の興味の対象に合致したものを抽出するために、０／４理論及びＫＪ法に基づき構造化されたオントロジーを用いたボトムアップ型の検索システムは存在していない。
【０００７】
さらに、このようなオントロジーを用いた検索システムによる検索結果を用いてツアープランを自動生成するシステムは存在しない。各Ｗｅｂサイトの観光情報に係る位置情報を取得することが難しく、位置情報に基づいて観光情報相互の関係を理解し、ツアープランとして組み立てることが困難であったからである。
【０００８】
本発明は、このような課題に鑑みてなされたもので、０／４理論及びＫＪ法に基づき構造化されたオントロジーを用いたボトムアップ型の検索を実現することを目的とする。
【０００９】
さらに、上記オントロジーを用いた検索で得た情報を用いてツアープランを自動生成することを更なる目的とする。
【課題を解決するための手段】
【００１０】
上記課題を解決するため、本発明の第１の態様に係る検索システムは、０／４理論及びＫＪ法に基づいて階層構造化したオントロジーを生成するオントロジー生成部と、上記オントロジーを参照し、入力されたキーワードにつき検索を実行する検索部とを備える。
【００１１】
この第１の態様において、上記オントロジー生成部は、０／４形式化により、動詞的なもの、名詞的なもの、修飾語的なものに少なくとも分類した後、ＫＪ法により階層構造化してもよい。
【００１２】
本発明の第２の態様に係るツアープラン生成システムは、０／４理論及びＫＪ法に基づいて階層構造化されたオントロジーを参照して、入力されたキーワードについて検索を実行する検索部と、上記検索部により抽出された各Ｗｅｂサイトのコンテンツより位置情報を特定し、該位置情報をタグと共に検索結果に埋め込むタグ埋込部と、上記位置情報に基づき旅行行程表を生成するツアープラン生成部と、を備える。
【００１３】
そして、この第２の態様において、上記オントロジーは、０／４形式化により、動詞的なもの、名詞的なもの、修飾語的なものに少なくとも分類した後、ＫＪ法により階層構造化してもよい。
【００１４】
本発明の第３の態様に係るツアープラン生成システムは、ユーザの端末とサーバ装置とが接続されたツアープラン生成システムにおいて、前記サーバ装置は、０／４理論及びＫＪ法に基づいて階層構造化されたオントロジーを生成するオントロジー生成部と、前記端末でのＷｅｂページの表示に切り替わりに際しては、前記オントロジーに基づいてＷｅｂページを読み出し、前記端末にて表示の切り替えを促す主制御部と、前記端末からの要求に基づいて、経路探索を行う経路探索部と、前記経路探索の結果に基づいてツアープランを生成するツアー生成部と、を備え、前記主制御部は、前記端末が、前記経路探索の結果を表示するときは、各観光スポット間に存在する更なる観光スポット、宿泊施設、及び飲食店の位置情報をフラグ形式で地図上に表示するように促し、前記ツアープランに組み込むべき更なる観光スポット、宿泊施設、及び飲食店の追加を受け付け、前記ツアー生成部は、前記経路探索の結果に加えて、前記追加された更なる観光スポット、宿泊施設、及び飲食店の情報に基づいてツアープランを生成する。
【００１５】
本発明の第４態様に係るツアープラン生成方法は、０／４理論及びＫＪ法に基づいて階層構造化されたオントロジーを参照して、入力されたキーワードについて検索を実行するステップと、上記検索により抽出された各Ｗｅｂサイトのコンテンツより位置情報を特定し、該位置情報をタグと共に検索結果に埋め込むステップと、上記位置情報に基づき旅行行程表を生成するステップと、を有し、上記オントロジーは、０／４形式化により、動詞的なもの、名詞的なもの、修飾語的なものに少なくとも分類した後、ＫＪ法により階層構造化している。
【００１６】
本発明の第５の態様に係るコミュニケーションシステムは、ＳＮＳメンバーが質問可能なシステムであって、０／４理論及びＫＪ法に基づいて階層構造化したオントロジーを生成するオントロジー生成部と、上記オントロジーを参照して、入力されたキーワードにつき検索を実行する検索部と、上記質問に係る投稿を受け付け、解析し、該質問の回答に適切なＳＮＳメンバーを特定して、上記質問を転送する投稿解析部と、を備え、上記オントロジー生成部は、０／４形式化により、動詞的なもの、名詞的なもの、修飾語的なものに少なくとも分類した後、ＫＪ法により階層構造化しており、上記質問がなされたときには上記検索部による検索結果と上記ＳＮＳメンバーによる回答とを合わせて提示する。
【発明の効果】
【００１７】
本発明によれば、０／４理論及びＫＪ法に基づき構造化されたオントロジーを用いたボトムアップ型の検索を実現する検索システムを提供することができる。
【００１８】
さらに、上記オントロジーを用いた検索で得た情報を用いてツアープランを自動生成するツアープラン生成システム及び方法を提供することができる。
【００１９】
さらに、上記検索システムを媒介として人と人とがつながるコミュニケーションシステムを提供することができる。
【図面の簡単な説明】
【００２０】
【図１】本発明の第１実施形態に係る検索システム、及びツアープラン生成システムの構成を示す図である。
【図２】オントロジー生成部により生成されたオントロジーを示すテーブルである。
【図３】オントロジー生成ロジックについて説明する概念図である。
【図４】検索部による検索ロジックを説明する概念図である。
【図５】検索結果表示例を示す図である。
【図６】Ｗａｎｎａｇｏページの一例を示す図である。
【図７】生成された旅行行程表を示す図である。
【図８】本発明の第１実施形態に係るツアープラン生成システムによるツアープラン生成の処理の流れを示すフローチャートである。
【図９】本発明の第２実施形態に係る検索システムによる回答データ生成の処理の流れを説明する概念図である。
【図１０】本発明の第２実施形態に係る検索システムによる質問の処理について説明するための概念図である。
【図１１】本発明の第３実施形態に係るツアー生成システムの構成を示す図である。
【図１２】本発明の第３実施形態に係るツアー生成システムのサーバ装置の構成を示す図である。
【図１３】本発明の第３実施形態に係るツアー生成システムによる処理手順を示すフローチャートである。
【図１４】（ａ）乃至（ｃ）は、サーバ装置により提供されるＷｅｂサイトの画面構成例を示す図である。
【図１５】経路探索の結果を示す画面の表示例を示す図である。
【図１６】本発明の第４実施形態に係るコミュニケーションシステムによるＷｅｂサイトの画面構成例を示す図である。
【図１７】本発明の第５実施形態に係るサーバ装置の構成を示す図である。
【図１８】旅行代理店用トップ画面生成の過程を示す図である。
【図１９】旅行代理店用トップ画面生成の過程を示す図である。
【図２０】旅行代理店用トップ画面生成の過程を示す図である。
【図２１】旅行代理店用トップ画面を示す図である。
【発明を実施するための形態】
【００２１】
以下、図面を参照しつつ本発明の実施形態について説明する。
【００２２】
＜第１実施形態＞
【００２３】
図１には、本発明の第１実施形態に係る検索システム、及びツアープラン生成システムの構成を示し説明する。
【００２４】
同図に示されるように、ツアープラン生成システム１は、検索システム２を有し、該検索システム２は、検索部３、投稿解析部４、翻訳部５、オントロジー生成部１０を備えている。更に、検索システム２は、オントロジーＤＢ１３、ＳＮＳメンバーＤＢ１４と接続されている。ツアープラン生成システム１は、経路探索部６、決済部７、ＤＲＭ部８、ツアープラン生成部９、タグ埋込部１１、マイページ生成部１２を備えている。
【００２５】
０／４ベースの情報プラットフォーム２０には、写真／映像情報や、国内ＳＮＳメンバーからの情報、日本語の学習情報、防災情報、日本食情報、ＳＮＳ観光情報、旅行業者観光情報、及び市町村観光情報等が蓄積されている。これらは、地方自治体や地域の商工会が総務省／国土交通省、農林水産省、オリンピック委員会とやり取りする中で蓄積された観光資源開発に関するもの、ＮＰＯやコミュニティ、ボランティアからの観光系人材供給によるものなどが含まれている。
【００２６】
このような構成において、オントロジー生成部１０は、０／４理論、ＫＪ法の考え方に基づいて各ＵＲＬについて、構造化されたオントロジーを生成する。その詳細は図２で後述する。海外ＳＮＳメンバーからの投稿があると、検索システム２の投稿解析部４が投稿内容を解析し、翻訳部５が翻訳した後、プラットフォーム２０に蓄積される。検索がなされたときは、検索部３が入力されたキーワードに基づいて、Ｏ／４理論とＫＪ法をベースに構築されたオントロジーに基づいて、検索を実施する。マイページ生成部１２は、この検索結果に基づいて興味のあるＷｅｂサイトへのリンク先をまとめたマイページを生成する。また、タグ埋込部１１は、検索結果について、マイページへの登録時に、住所情報を特定するためのタグを検索結果表示に係るＨＴＭＬデータに埋め込むこともできる。
【００２７】
この検索結果、マイページへの登録に基づいて、経路探索部６は旅行行程の経路を探索し、ツアープラン生成部９は経路に基づいて所定の旅行行程を生成する。このとき、宿泊先の予約等がなされたときは、決済部７により決済を実施するようにしてもよい。ツアープラン生成に際しては、旅行行程表に掲載するコンテンツ等につきＤＲＭ部８はデジタル著作権管理を実施している。
【００２８】
オントロジー生成部１０は、図２に示されるような形式で、各ＵＲＬについて、メインカテゴリとサブカテゴリの分類をした後、「１．何について」、「２．どうする」、「３．どのように」、「４．その他」を明確化して構造化する。構造化されたオントロジーは、オントロジーＤＢ１３に格納され保持されている。
【００２９】
より詳細には、例えば、図２の上段に示した例では、URLがhttp://www.○○○.comであるサイトについて、形態素解析の結果に基づいて、メインカテゴリを「体験」、サブカテゴリを「釣り」、「１．何について」を「○○の釣り場」、「笛吹川」、「渓流」、「マス」、「ヤマメ」、「釣り」、「２．どうする」を「楽しむ」、「３．どのように」を「川の流れをそのまま利用した」、「本格的な渓流釣りの気分で」、「大自然の中で」、「４．その他」を「営業時間」、「定休日」、「料金」、「問合せ」と明確化し、構造化している。
【００３０】
このオントロジーの構造化については、図３に示される処理手順となる。先ず、Ｗｅｂサイトの形態素解析の結果について０／４理論に基づいてデータの０／４形式化を実施した後、続いてＫＪ法に基づきデータの階層構造化を図る。０／４理論に基づくデータの０／４形式化では、Ｗｅｂサイトのテキストデータを形態素解析して名詞的なもの、修飾語的なもの、動詞的なもの、その他のもの、に分類する。基本的には、文章は、これらにより大別される。これらの要素を抽出した後、それらのデータをＫＪ法に基づいて階層構造化する。これにより、階層構造化されたオントロジーの構造化が図られる。このようにして体系化された後においては、ＫＪ法によるマップ検索方式での検索、０／４法による０／４検索方式での検索の双方に対応可能となる。構造化されたデータは、オントロジーＤＢ１３にて保持されている。
【００３１】
ここで、図４には、あるドメインについて構造化されたオントロジーのデータ体系を示し説明する。ここでは、釣り、フィッシングに関する観光ドメインのオントロジー（川の種類、魚の種類、どのように釣りができるのか、その場所）を生成している。
【００３２】
図４のように構造化された場合、＃１〜＃３のどこから検索に入ってもナビゲーションにより当該ページがヒットする。例えば、「フィッシング」ではなく、「イワナ」が検索キーワードとして入力された場合、川欄、どのような欄、場所欄を順に表示し、ナビゲーション的に絞り込むことで、確実に検索意図に合致する検索結果を得る。
【００３３】
図４において、＃１は、日本全国で共通化できる観光ドメインの全ての動詞的な表現となる。この＃１をリストアップし、それに関連する＃２を紐づけて、それにさらに＃３を紐づけることで、該Ｗｅｂサイトをヒットさせることができるようになる。この点、ロボット型の検索エンジンのように、ヒットデータがないということが生じない。
【００３４】
検索部３による検索の結果、図５に示されるような画面が表示される。この例では、広告順、検索上位順に、Ｗｅｂサイトが列挙されるが、位置情報特定ボタンとしての「Ｗａｎｎａｇｏ」ボタンが併せて表示されている。
【００３５】
Ｗａｎｎａｇｏボタンは、住所属性を示すタグであり、ＸＭＬタグとして機能する。検索によりヒットさせた情報（ＵＲＬ）ごとに、このＷａｎｎａｇｏボタンを自動挿入するようにしてもよい。その際には、該ＵＲＬを、クローリング時に作成された独自のオントロジーのＤＢ内の住所情報を紐づけておく。このＷａｎｎａｇｏボタンの自動挿入は、タグの挿入という形で実施されるが、タグ埋込部１１により、マイページへの登録時等に実施するようにしてもよい。
【００３６】
Ｗａｎｎａｇｏボタンは、それが存在するＵＲＬ情報とタグで記述された住所情報を紐づけしたＤＢにより管理されており、Ｗａｎｎａｇｏボタンがクリックされると、該ＤＢが参照される。また、ＷａｎｎａｇｏボタンのＤＢには緯度経度情報も保有しており、経路探索部６は、これらの緯度経度情報を参照することができる。この緯度経度情報は、外部のサービスサーバより取得するようにしてもよいことは勿論である。
【００３７】
この図５の検索結果において、各項目をクリックすることで該当するＷｅｂサイトを閲覧することができる。そして、閲覧により気に入ったサイトについては、Ｗａｎｎａｇｏボタンをクリックすることで、ツアープラン作成の際に考慮する対象として選定することができる。Ｗｅｂサイトの中にＷａｎｎａｇｏボタンが埋め込まれているときは、Ｗｅｂサイトの閲覧時に同様にＷａｎｎａｇｏボタンをクリックすることで、マイページ生成部１２は、マイページを生成する。
【００３８】
こうしてＷａｎｎａｇｏボタンが選定された対象一覧は、図６に示されるようなマイページの形式で表示される。そして、この中から、最終的にツアー選定の際に考慮すべき対象をチェックボックスにチェックを入れる等して選択し、「旅行工程表作成ボタン」をクリックすると、経路探索部６により経路が自動計算され、ツアープラン生成部９によりツアープランが生成される。
【００３９】
生成された旅行工程表は、図７に示される。同図に示されるように、入国日から出国日までを単位時間で区切って、おすすめの旅行行程が提示されると共に、宿泊先、食事、買い物、遊びについてもおすすめの施設等のＷｅｂサイトのリンクが貼られたおすすめ表示ボタンが設けられる。また、飛行機の予約についても、航空会社の予約サイトへのリンクが貼られたボタンが設けられている。この旅行行程の生成に際しては、Ｗａｎｎａｇｏボタンに紐づけられた緯度経度情報が参照され、観光スポット間の距離が算定され、移動所要時間等も該距離に基づいて算定される。
【００４０】
以下、図８のフローチャートを参照して、本発明の第１実施形態に係るツアープラン生成システムによるツアープラン生成に係る処理手順を説明する。
【００４１】
検索キーワードが入力され、検索部３により検索が実行されると、その検索結果が表示される（Ｓ１）。この検索に際しては、０／４理論、ＫＪ法に基づいて構造化されたオントロジーに基づいて検索が実行される。この検索結果を提示するときに、列挙された各Ｗｅｂサイトの見出しに併設するように、タグ埋込部１１がＷａｎｎａｇｏボタンに相当するタグを埋め込むようにしてもよい。
【００４２】
ユーザが、この検索結果で列挙されたＷｅｂサイトの見出しの中から所望とするものをクリックして、詳細を確認し（Ｓ２）、気に入ったものについて、Ｗａｎｎａｇｏボタンをクリックして選択すると（Ｓ３）、マイページ生成部１２が先に図６に示したようなＷａｎｎａｇｏページを生成する（Ｓ４）。このＷａｎｎａｇｏページの中から、ユーザが気に入ったもの、興味のあるもののチェックボックスにチェックを入れて、出発日等の各種情報を入力し、旅行行程を生成のボタンをクリックすると（Ｓ５）、ツアープラン生成部９が先に図７に示したような旅行行程表を生成する（Ｓ６）。
【００４３】
ユーザは、旅行行程表で宿泊先を指定し（Ｓ７）、各種オプション（航空券の予約など）の指定を受け付け（Ｓ８）、決済部７が決済を実行し（Ｓ９）、決済後の内容を確定した内容として保存し（Ｓ１０）、一連の処理を終了する。
【００４４】
以上説明したように、本発明の第１実施形態によれば、０／４理論及びＫＪ法に基づいて階層構造化したオントロジーを生成するオントロジー生成部１０と、オントロジーを参照して、入力されたキーワードについて検索を実行する検索部３と、を備えた検索システムが提供される。ここで、より詳細には、オントロジー生成部１０は、０／４形式化により、動詞的なもの、名詞的なもの、修飾語的なものに少なくとも分類した後、ＫＪ法により階層構造化している。
【００４５】
さらに、本発明の第１実施形態によれば、０／４理論及びＫＪ法に基づいて階層構造化されたオントロジーを参照して、入力されたキーワードについて検索を実行する検索部３と、検索部３により抽出された各Ｗｅｂサイトのコンテンツより位置情報を特定し、該位置情報をタグと共に検索結果に埋め込むタグ埋込部１１と、位置情報に基づき旅行行程表を生成するツアープラン生成部９とを備えたツアープラン生成システムが提供される。ここで、より詳細には、オントロジーは、０／４形式化により、動詞的なもの、名詞的なもの、修飾語的なものに少なくとも分類した後、ＫＪ法により階層構造化している。
【００４６】
また、本発明の第１実施形態によれば、０／４理論及びＫＪ法に基づいて階層構造化されたオントロジーを参照して入力されたキーワードについて検索を実行するステップと、上記検索により抽出された各Ｗｅｂサイトのコンテンツより位置情報を特定し、該位置情報をタグと共に検索結果に埋め込むステップと、上記位置情報に基づき旅行行程表を生成するステップと、を有し、上記オントロジーは、０／４形式化により、動詞的なもの、名詞的なもの、修飾語的なものに少なくとも分類した後、ＫＪ法により階層構造化しているツアープラン生成方法が提供される。
【００４７】
従って、本発明の第１実施形態によれば、０／４理論、ＫＪ法に基づいて階層構造化されたオントロジーに基づいて、検索を実施し、該検索結果に基づいてツアープランを自動生成することができる。上記検索結果を提示する際には、ヒットしたＷｅｂサイトについて位置情報を特定するためのタグを埋込み、そのタグと紐づけられた住所情報等にリンクするＷａｎｎａｇｏボタンを見出しの横に併記できる。このタグと結び付けられた住所情報（緯度経度情報を含む）を参照しながら、経路探索を行うこともできるので、迅速かつ的確にツアープランを生成することができる。
【００４８】
＜第２実施形態＞
【００４９】
次の本発明の第２実施形態について説明する。基本的な構成は先に図１に示した構成と略同様であるが、外部のＳＮＳメンバーからの投稿や検索を可能とし、メンバー間を結び付ける点に特徴を有している。
【００５０】
図９には、検索システムによる２通りの回答データの生成過程を示し説明する。この例では、「日本での渓流釣りでおすすめはどこですか？」との質問が投げかけられた場合を想定している。先ず、検索部３は、回答データ１の生成に際しては、プラットフォーム２０のＷａｎｎａｇｏオントロジーを参照して、検索キーワードを形態素解析して分解し、「渓流」、「釣り」、「おすすめ」、「どこ」をキーワードとして抽出し（＃１１）、０／４分解により、「渓流」、「釣り」を「１．何について」と、「どこ」を「２．どうする」と、「おすすめ」を「３．どのように」と認識する（＃１２）。そして、検索システムの川属性の渓流にヒットさせ、ナビゲーションにのせて自動検索を実施する（＃１３）。こうして、日本語で検索結果を出力する（＃１４）。この出力は翻訳部５にて翻訳されてもよい。
【００５１】
一方、検索部３は、回答データ２の生成では、プラットフォーム２０のＷａｎｎａｇｏオントロジーを参照して、検索キーワードを形態素解析して分解し、「渓流」、「釣り」、「おすすめ」、「どこ」をキーワードとして抽出し（＃１５）、０／４分解により、「渓流」、「釣り」を「１．何について」と、「どこ」を「２．どうする」と、「おすすめ」を「３．どのように」と認識する（＃１６）。そして、日本のＳＮＳメンバーの中から渓流かつ釣りにヒットするメンバーを抽出し、この質問を投げかける（＃１７）。そして、質問を受け取ったメンバーがＰＲを含め回答する（＃１８）。この回答は翻訳部５にて翻訳されてもよいことは勿論である。
【００５２】
図１０には、海外のＳＮＳメンバーからの質問文の受け付け及びその回答に係る処理の流れを示し説明する。海外のＳＮＳメンバーから質問文を受けると、翻訳部５が翻訳して検索部３が０／４分解を実施し、Ｗａｎｎａｇｏオントロジーを参照して分野／属性分析を実施し、ＳＮＳメンバーＤＢを参照して、分野が合致するメンバーを抽出する。そして該メンバーに翻訳された質問文をメール等で投げかける。このＳＮＳメンバーＤＢにはＳＮＳメンバーのプロファイリングを実施し、分野や属性情報のデータを分析してＤＢ化しており、随時更新されている。
【００５３】
以上説明したように、本発明の第２実施形態によれば、ＳＮＳメンバーが質問可能なシステムであって、０／４理論及びＫＪ法に基づいて階層構造化したオントロジーを生成するオントロジー生成部１０と、上記オントロジーを参照して、入力されたキーワードにつき検索を実行する検索部３と、上記質問に係る投稿を受け付け、解析し、該質問の回答に適切なＳＮＳメンバーを特定して、上記質問を転送する投稿解析部４と、を備え、上記オントロジー生成部１０は、０／４形式化により、動詞的なもの、名詞的なもの、修飾語的なものに少なくとも分類した後、ＫＪ法により階層構造化しており、上記質問がなされたときには、上記検索部３による検索結果と、上記ＳＮＳメンバーによる回答とを合わせて提示するコミュニケーションシステムが提供される。
【００５４】
従って、本発明の第２実施形態によれば、ＳＮＳメンバーからの回答と検索結果の双方を提示することができる。また、ＳＮＳの海外メンバーからの質問についても、解答に適したメンバーを的確に抽出し、質問文を当該メンバーに投げかけることも可能となる。
【００５５】
＜第３実施形態＞
本発明の第３実施形態に係るツアープラン生成システムは、０／４理論及びＫＪ法に基づいて階層構造化したオントロジーに基づいて、Ｗｅｂサイトの階層的な関係を構築し、該ＷｅｂサイトでのＷａｎｎａｇｏボタンの選択に基づいて経路探索を行い、経路探索結果を提示するときに、選択された地点間にある更なるお勧め地点をフラグで提示し、ユーザに更なるお勧め地点のツアーへの付加を促し、最終的に選択されたお勧め地点も含めてツアープランを生成するものである。更なるお勧め地点については、行政や観光業者等によるデータの投稿型の申し込みを受け、ユーザによりＷａｎｎａｇｏボタンが選択された地点の該Ｗａｎｎａｇｏボタンに紐づけられた位置情報との関係で近隣の更なるお勧め地点を地図上のフラグによりユーザにレコメンドすることが可能となる。従って、データ投稿型であって、ＤＢにデータの登録がなされると地図上にフラグが立つようなプラットフォームが提供されることになる。以下、詳述する。
【００５６】
先ず、図１１には、本発明の第３実施形態に係るツアープラン生成システムの構成を示し説明する。
【００５７】
同図に示されるように、このツアープラン生成システムは、サーバ装置１００と、ツアープランの生成を希望するユーザの端末２００と、観光に係るお勧め地点をレコメンドする行政や観光業者などの端末３００とが、インターネット等のネットワーク４００を介して接続され構成されている。端末２００，１０２としては、スマートフォンやタブレット端末やノート型パーソナルコンピュータ（以下、パソコン）、デスクトップ型パソコン等の各種のものを採用することができる。
【００５８】
このような構成において、サーバ装置１００は、０／４理論及びＫＪ法に基づいて階層構造化したオントロジーに基づいて、Ｗｅｂサイトの階層的な関係を構築する。ユーザの端末２００は、該Ｗｅｂサイトを閲覧し、興味のある観光スポットのＷｅｂサイトに埋め込まれているＷａｎｎａｇｏボタンを選択することでマイページへの登録を行い、ツアープランの生成をサーバ装置１００側に要求する。観光業者等の端末３００は、自己が推奨したい観光スポットをサーバ装置１００側に登録し、サーバ装置１００側で提供されるＷｅｂサイトの地図画像上にフラグを立ててもらう。そして、サーバ装置１００側は、ユーザの端末２００による該ＷｅｂサイトでのＷａｎｎａｇｏボタンの選択に基づいて経路探索を行い、経路探索結果を提示するときに、選択された地点間にある更なるお勧め地点をフラグで提示し、ユーザに更なるお勧め地点のツアーへの付加を促し、最終的に選択されたお勧め地点も含めてツアープランを生成する。
【００５９】
次に、図１２には、サーバ装置１００の構成を更に詳細に示し説明する。
【００６０】
同図に示されるように、サーバ装置１００では、ＣＰＵ等の制御部１０１と、通信部１０３と、記憶部１０４とが、システムバス１０５を介して接続されている。通信部１０３は、インターネット等のネットワークを介してユーザの端末２００、観光業者の端末３００等と通信する通信インタフェースである。記憶部１０４は、制御部１０１が実行するためのプログラム１０２を格納しており、その実行時にはワークエリアを提供する。記憶部１０４は、オントロジーＤＢ１０４ａ、コンテンツＤＢ１０４ｂ、及びユーザＤＢ１０４ｃ等を論理的に保持している。制御部１０１は、記憶部１０４からプログラム１０２を読み出し実行することで、オントロジー生成部１０１ａ、経路探索部１０１ｂ、画面生成部１０１ｃ、コンテンツ登録部１０１ｄ、決済部１０１ｅ、ツアー生成部１０１ｆ、及び主制御部１０１ｇとして機能する。尚、ユーザＤＢ１０４ｃには、ユーザの属性情報等がテーブル形式で記憶されている。
【００６１】
このような構成において、オントロジー生成部１０１ａは、０／４理論、ＫＪ法の考え方に基づいて、各ＵＲＬについて、構造化されたオントロジーを生成する。その詳細は第１実施形態で前述した通りであるが、インデックス化されたオントロジーが生成されることになる。オントロジーはオントロジーＤＢ１０４ａに格納される。経路探索部１０１ｂは、ユーザの端末２００により選択された観光スポットのＷａｎｎａｇｏボタンと紐づけられた位置情報に基づいて、経路探索を行う。
【００６２】
そして、画面生成部１０１ｃは、観光業者等の端末３００より観光スポットの登録があると、位置情報に基づいてフラグを生成し、Ｗｅｂ画面上の地図情報の上に該フラグを埋め込む等して、画面データを生成する。コンテンツ登録部１０１ｄは、観光業者の端末３００等から観光スポットの登録要求があると、該観光スポットを位置情報と共にコンテンツＤＢ１０４ｂに登録する。決済部１０１ｅは、ツアープラン生成後に、該ツアーに対する決済を行う。ツアー生成部１０１ｆは、経路探索部１１ｂにより探索された経路に基づいてユーザに好適なツアープランを生成する。主制御部１０１ｇは、以上のほか、統括的な制御を行うことになる。
【００６３】
以下、図１３のフローチャートを参照して、第３実施形態に係るツアープラン生成システムによるツアープラン生成に係る処理手順を説明する。ここでは、図１４、図１５を適宜参照しつつ、説明を進める。
【００６４】
ユーザの端末２００よりサーバ装置１００が提供するＷｅｂサイトにアクセス要求がなされると（Ｓ２１）、サーバ装置１００は、アクセス要求を受信し、主制御部１０１ｇがメイン画面の画面データをコンテンツＤＢ１０４ｂより読み出し（Ｓ２２）、ＨＴＭＬ形式等の画面データを、通信部１０３を介してユーザの端末２００に送信する（Ｓ２３）。ユーザの端末２００は、画面データを受信すると、該メイン画面を表示する（Ｓ２４）。
【００６５】
ここで、メイン画面の一例は図１４（ａ）に示される通りである。同図に示されるように、画面のタイトルは「ＭＵＳＴ  ＬＯＶＥ  ＪＡＰＡＮ」とあるように、メイン画面１１１は、日本とう枠組みでの観光スポット紹介を行う性質のものとなっている。画面１１１の右上の領域１１１ａには、各月（又は各季節）別の観光スポットを詳細するＵＲＬへのリンクが貼られており、該観光スポットに係る画像１１１ｄが示されている。その下の領域１１１ｂには、日本の地図と領域１１１ａで紹介されている観光スポットをフラグ１１１ｅが示されている。領域１１１ｂの下の領域１１１ｃには、ユーザや行政、観光業者から投稿された動画へのリンクが貼られており、該動画に係る画像１１１ｆが示されている。従って、ユーザは、領域１１１ａの中の所望とする観光スポットに係る画像１１１ｄを選択することで、該観光スポットに係る詳細画面へと移行するよう要求することができるようになっている。また、領域１１１ｃの中の所望とする動画に係る画像１１１ｆを選択することで、動作再生を要求することができるようになっている。
【００６６】
続いて、ユーザの端末２００において、詳細画面の閲覧が要求されたか否かを判断し（Ｓ２５）、画面１１１の領域１１１ａの画像１０１ｄが選択されるなどして、詳細画面の閲覧が要求されると（Ｓ２５をＹｅｓ）、ユーザの端末２００は、サーバ装置１００に閲覧要求を送信する（Ｓ２６）。サーバ装置１００は、閲覧要求を受けると、主制御部１０１ｇが詳細画面の画面データを読み出す（Ｓ２７）。このとき、オントロジーＤＢのインデックスに基づいて、メイン画面より階層的に１つ下の画面を読み出す。
【００６７】
例えば、メイン画面１１１は「日本」という大きな枠組みでの観光案内を行うものであるが、その領域１１１ａの中の例えば「志賀高原」に係る画像が選択されると、即座に「志賀高原」に係る詳細画面の画面データを読み出すのではなく、志賀高原が属する地域である、「長野」という枠組みで観光案内を行う画面の画面データを読み出す。これにより、本来であれば、「志賀高原」に係る観光案内を行う画面に移行していたところを、「長野」という枠組みで観光案内を行う画面にユーザを案内することができるので、「長野」という地域での観光スポットの見直しをする機会をユーザに提供することが可能となる。このような機会提供は、記憶部１０４のオントロジーＤＢ１０４ａにおいて、「日本」、「長野」、「志賀高原」というキーワードがインデックス化されて階層構造の下で管理されているからこそ、実現される本実施形態の特徴の１つである。
【００６８】
サーバ装置１００では、主制御部１０１ｇが、画面データを、通信部１０３を介してユーザの端末２００に送信する（Ｓ２８）。ユーザの端末２００は、サーバ装置１００からの画面データを受信すると、該詳細画面を表示する（Ｓ２９）。
【００６９】
ここで、詳細画面の一例は、図１４（ｂ）に示される通りである。同図に示されるように、画面のタイトルは「ＭＵＳＴ  ＬＯＶＥ  ＮＡＧＡＮＯ」とあるように、詳細画面１１２は、長野とう枠組みでの観光スポット紹介を行う性質のものとなっている。画面１１２の右上の領域１１２ａには、地図が表示されている。領域１１２ｂには、「長野」という枠組みで、ユーザや行政、観光業者等から投稿されたコンテンツが埋め込まれており、その特徴を指標する画像１１２ｆが貼り付けられている。詳細画面１１２の左上の領域１１２ｃは、選択されたコンテンツに係る動画の表示領域となっており、その下の領域１１２ｄはテキストデータの表示領域となっている。そして、左下には、ユーザが自己のマイページに登録し、観光ルートに組み入れたいときに選択するＷａｎｎａｇｏボタン１１２ｇが設けられている。
【００７０】
続いて、ユーザの端末２００では、Ｗａｎｎａｇｏボタンが押下されるなどして、マイページへの登録が要求されたか否かを判断し（Ｓ３０）、要求されていないときは（Ｓ３０をＮｏ）、ステップＳ３３に移行し、要求されたときは（Ｓ３０をＹｅｓ）、マイページへの登録要求をサーバ装置１００に送信する（Ｓ３１）。サーバ装置１００では、この要求を受けると、ユーザＤＢ１０４ｃで管理されているマイページにＷａｎｎａｇｏボタンと紐づけられた観光スポットを登録する（Ｓ３２）。
【００７１】
ユーザの端末２００では、経路探索要求がなされたか否かを判断し（Ｓ３３）、要求がなされていないときは（Ｓ３３をＮｏ）、ステップＳ２５に戻り上記処理を繰り返す。この処理を繰り返す中、ステップＳ２５で更なる詳細画面の閲覧が要求された場合には、階層的に更に１段、下のＷｅｂページに係る画面へと移行するよう処理が行われる。
【００７２】
例えば、図１４（ｂ）に示された詳細画面から、更に詳細画面に移行するときは、図１４（ｃ）に示されるような詳細画面に移行する。
【００７３】
同図に示されるように、画面のタイトルは「ＭＵＳＴ  ＬＯＶＥ  ＨＡＫＵＢＡ」とあるように、詳細画面１１３は、白馬とう枠組みでの観光スポット紹介を行う性質のものとなっている。画面１１３の右上の領域１０３ａには、地図が表示されている。この階層の詳細画面では、各観光スポットで配布されているような観光ガイドの写真（この例ではゲレンデガイド）の画像を埋め込むことができる。領域１１３ｂには、「白馬」という枠組みで、ユーザや行政、観光業者等から投稿されたコンテンツが埋め込まれており、その特徴を指標する画像１１３ｃが貼り付けられている。詳細画面１１３の左上の領域１１３ｄには、選択されたコンテンツに係る動画の表示領域が設けられており、その下の領域１１３ｅはテキストデータの表示領域となっている。そして、左下には、ここでは不図示であるが、ユーザが自己のマイページに登録し、観光ルートに組み入れたいときに選択するＷａｎｎａｇｏボタンが設けられている。
【００７４】
一方、経路探索要求がなされたときは（Ｓ３３をＹｅｓ）、サーバ装置１００に対して、マイページの登録情報に基づく経路探索要求を行う（Ｓ３４）。サーバ装置１００は、この経路探索要求を受けると、経路探索部１０１ｂが、経路探索を実行する（Ｓ３５）。そして画面生成部１０１ｃが探索結果に基づく画面データを生成し、ユーザの端末２００に送信する（Ｓ３６）。ユーザの端末２００では、この画面データを受信すると、経路画面を表示する（Ｓ３７）。
【００７５】
ここで、経路画面の一例は、図１５に示される通りである。同図に示されるように、経路画面１１４の最上段の領域１１４ａには、経路全体をマクロ的な視野で確認できる地図が表示されている。そして、その下の領域１１４ｂには、選択された観光スポットが経路順に並べて表示される。この例では、スタート地点Ａから観光スポットＢ，Ｃ，Ｄを経由してゴール地点Ｅに到達する経路となっている。領域１１４ｃには、スタート地点Ａから第１の観光スポットＢまでの経路の途中に存在する更なる観光スポット、飲食店、及び宿泊施設の案内が表示される。そして、その左となりの領域１１４ｄには、スタート地点からゴールまでの経路が地図上に表示され、領域１１４ｅには移動に係る所要時間が表示される。領域１１４ｆには、第１の観光スポットＢの画像が表示され、その右隣の領域１１４ｇには第１の観光スポットＢの説明がテキストデータで表示される。そして、領域１１４ｈには、第１の観光スポットＢから第２の観光スポットＣまでの経路の途中に存在する更なる観光スポット、飲食店、及び宿泊施設の案内が表示される。そして、その左となりの領域１１４ｉには、第１の観光スポットＢから第２の観光スポットＣまでの経路の拡大地図が表示され、経路途中に存在する更なる観光スポット等の位置は該地図上にフラグ１１４ｊで表示される。そして、領域１１４ｋには第１の観光スポットＢから第２の観光スポットＣまでの移動に係る所要時間が表示される。以下、第２の観光スポットＣから第３の観光スポットＤまでについても同種の表示がなされる。このように、各観光スポット間に存在する更なる観光スポット等が地図上にフラグで表示され、その説明を適宜確認することができるので、観光業者の立場では、観光スポットへの更なる集客を促進することができ、ユーザの立場では、地元ならではの名所など、メジャーではないが、素晴らしい観光スポットを認識することができ、該観光スポットを適宜、ツアープランに取り入れることが可能となるので、プランの充実が図れる。
【００７６】
ユーザの端末２００では、例えば経路画面１１４の領域１１４ｈの中から閲覧を希望するものが選択されるなどして、途中経路の詳細を閲覧することが要求されたか否かを判断し（Ｓ３８）、閲覧要求があったときは（Ｓ３８をＹｅｓ）、更なる観光スポットの詳細画面の閲覧要求をサーバ装置１００に送信する（Ｓ３９）。サーバ装置１００は、この閲覧要求を受けると、主制御部１０１ｇが詳細画面の画面データを読み出し（Ｓ４０）、主制御部１０１ｇが、画面データを、通信部１０３を介してユーザの端末２００に送信する（Ｓ４１）。ユーザの端末２００は、サーバ装置１００からの画面データを受信すると、該詳細画面を表示する（Ｓ４２）。
【００７７】
そして、ユーザの端末２００では、詳細画面におけるＷａｎｎａｇｏボタンが選択されるなどして、閲覧している更なる観光スポット等を経路に追加することが要求されているか否かを判断し（Ｓ４３）、要求されていないときは（Ｓ４３をＮｏ）、ステップＳ４６に移行し、要求されているときは（Ｓ４３をＹｅｓ）、サーバ装置２００に対して経路追加要求を送信する（Ｓ４４）。サーバ装置１００では、この要求を受けると、主制御部１０１ｇがユーザＤＢ１０４ｃのマイページの経路情報を更新する（Ｓ４５）。
【００７８】
こうして、ユーザの端末２００では、不図示のツアープラン生成ボタンが選択されるなどして、ツアープラン生成を要求しているか否かを判断し（Ｓ４６）、要求されていなければ（Ｓ４６をＮｏ）、ステップＳ３８に戻り、上記処理を繰り返し、要求されていれば（Ｓ４６をＹｅｓ）、ツアープラン生成要求をサーバ装置１００に送信する（Ｓ４７）。サーバ装置１００では、ツアープラン生成要求を受けと、ツアー生成部１０１ｆが経路情報に基づいてツアープランを生成する（Ｓ４８）。以上で、ツアープラン生成に係る一連の処理を終了することになる。
【００７９】
以上説明したように、第３実施形態によれば、全行程をプランニングした後、その行程中にそのユーザが興味ある情報を表示（フラグ表示）することで、決められた行程を提示するだけでなく、行程の変更を勧めることで、定番のスポットではなく埋もれた観光資産をツアープランに組み込むことが可能となる。
【００８０】
また、キーワードがわからなくてもインデクス化されたオントロジーに基づくデータ構造があるため（図１４の例では「季節」で選べる）、ユーザ目線の様々なメニューから情報を検索し、ツアープランに盛り込むことができる。また、このシステムは、サーバ装置１００が提供するＡＳＰサービスとして実現することができ、動画の地理情報を元にエリアごとに観光サイトを自動的に構築することもできるので、メニューや独自の検索データからそれらの地域のサイトに誘導することができる。
【００８１】
また、第３実施形態に係るシステムは、ユーザが行程を設定した時に、探索結果画面上に、観光スポット、宿泊施設、及び飲食店等の位置と紐づけられたフラグを表示する権利を売るといった新たな広告モデルを実現することができる。従来のネットの広告モデルは検索エンジンとリンクし、検索結果リストページの上位へ表示する権利を売るモデルである（アドワーズ）。これは、検索エンジンがロボット型であり、検索頻度の上位のものが上部に表示されるので、上部への表示に価値がでるという必然的な結果である。しかし、この仕組みでは、永遠に埋もれてしまう情報が多々でてくることが問題である。観光用のシステムとしてはむしろ埋もれた情報に価値がある。その点、本システムは、正に埋もれた情報を提供するものである。検索結果にＷａｎｎａｇｏボタンが表示されることで経路探索に結び付けることができ、検索頻度ではなく地理情報に基づいた情報を表示することができることになる。すなわち、先に示した図１５の例であれば、Ａ〜Ｄまでの経路上およびＡ,Ｂ,Ｃ,Ｄの各地点の情報を、検索キーワードによることなく、情報提示することができる。これは、本システムが事前に地理情報をインデクス化して保有しているがゆえにできることである。つまり、広告主の情報をインデックス情報により経路上に表示できるのである。このとき、本システムのオントロジーに基づき、フラグの形状、大きさ、色等を変えることで、経路上、或いは各地点において、広告主の寄与度に応じて情報をクリックし易くすることも可能であることは勿論である。このように、本システムは、地図経路上の目的地周辺の観光スポット等のレコメンドを行うために、フラグで該スポット等に誘導するような権利を売る新しいモデルを提供するものである。従って、観光業者等は、該権利を購入することで、自己のサイトへの顧客の誘引度を高めるような利益を得ることが可能となる。
【００８２】
＜第４実施形態＞
第４実施形態に係るコミュニケーションシステムは、Ｗｅｂページのメイン画面に、地域のクリエータの地域プロモーションコンテンツの購入サイトへのリンクを貼り、ダウンロード販売可能とすると共に、ＳＮＳメンバーのブログへのリンクを貼り、更に各メンバーのおすすめの地域に特化した商品への購入サイトへのリンクを貼り、特産品等を購入することを可能としたものである。
【００８３】
基本的な構成は図１１及び図１２と同じである。メイン画面への地域プロモーションの購入サイトへのリンクは、ユーザでもあるクリエータにより登録されると、コンテンツ登録部１０１ｄがコンテンツＤＢ１０４ｂの情報を更新し、画面生成部１０１ｃがリンク領域を画面上に生成する。また、メンバーのブログについても、ユーザからの登録の要求を受けると、コンテンツ登録部１０１ｄがコンテンツＤＢ１０４ｂの情報を更新し、画面生成部１０１ｃがリンク領域を画面上に生成する。このとき、ユーザにより選択された特産品について、その購入ページへのリンクをブログと紐づけて表示する。この購入ページからの購入がなされた場合には、主制御部１０１ｇの制御により、購入金の一部が該ブログのユーザに還元されるようにしてもよい。この還元をポイントプログラムとし、そのポイントの代わりに仮想通貨を利用することも可能である。前述したフラグを立てる権利を購入した観光業者のサービスにこの仮想通貨を利用できるようにすることで、さらにこのシステムの利用を促進できる。
【００８４】
ここで、図１６には、実際の地域プロモーションコンテンツのダウンロードのための購入ページへのリンクや、メンバーブログ等が埋め込まれた画面の一例を示す。同図に示されるように、画面１１５の下方には、地域プロモーションコンテンツのダウンロードのためのリンクが貼られた領域１１５ａがある。そして、その右となりには、メンバーのブログへのリンクが貼られた領域１１５ｂがある。この領域１１５ｂでは、メンバー本人の画像１１５ｃと、コメント１１５ｄと、オススメ商品へのリンク１１５ｅが並べられて表示されている。そして、画面１１５の左下には、Ｗａｎｎａｇｏボタン１１５ｅが設けられているが、例えば、動画再生ページに提携先のツアーバスがある場合、ツアーの予約システムにリンクさせるようにしてもよく、提携先の高速バスがある場合、そちらのＷｅｂサイトにリンクされるようにしてもよい。
【００８５】
以上説明したように、第４実施形態に係るコミュニケーションシステムによれば、地域プロモーションの紹介及び販売、メンバーによるオススメ商品の紹介及び販売なども可能となり、それらが地域に特化したものであることから、全体として地域の活性化に寄与することができる。
【００８６】
なお、図１６に示される画面に「体験型観光コンテンツ」への誘導ボタンをさらに設けて、外国観光客に対する納税のお返しとして、特産物以外に「体験型観光チケット」を選択可能とするものである。つまり、図１６では、先に示したように、観光プラットフォーム上で、地域物産をＳＮＳメンバーがブログ等で紹介しているが、総務省管轄のふるさと納税制度の「海外版」が創設されたときには、「体験型観光コンテンツ」ボタンを選択して該コンテンツへと移行し、特産品の購入時に付与されたＩＤ，ＰＡＳＳを入力することで体験型観光チケットを選択し、購入することが可能となる。購入した体験型観光チケットは、指定した日時にツアー等に組み込み、或は別途参加可能となる。
【００８７】
＜第５実施形態＞
図１７には、本発明の第５実施形態に係るサーバ装置の構成を示し説明する。ここでは図１２と同一構成については同一符号を付し重複した説明は省略する。
【００８８】
オントロジー生成部１５１ａは、０／４理論、ＫＪ法の考え方に基づいて、各ＵＲＬについて構造化されたオントロジーを生成する。詳細は、第１実施形態で前述した通りである。オントロジーはオントロジーＤＢ１０４ａに格納される。経路探索部１５１ｂは、Ｗａｎｎａｇｏボタン等と紐づけられた位置情報に基づいて、経路探索を行う。
【００８９】
そして、画面生成部１５１ｃは、旅行代理店用トップ画面データ等を生成する。コンテンツ登録部１５１ｄは、観光業者の端末３００等から送られた動画等をコンテンツＤＢ１０４ｂに登録する。決済部１５１ｅは、各種の決済を行う。ツアー生成部１５１ｆは、経路探索部１１ｂにより探索された経路に基づいてツアープランを生成する。主制御部１５１ｇは、統括的な制御を行う。そして、検索部１５１ｈは、検索キーワードに基づいて所定の検索を実行する。
【００９０】
図１８乃至図２１には、旅行代理店用トップ画面生成の過程を示し説明する。
【００９１】
図１８に示されるように、前述したようなサーチエンジンにて、キーワード入力欄２００に検索キーワードを入力して検索を実行し、検索部１５０ｈによる検索結果から選定したコンテンツをリスト化し、画面生成部１５０ｃがコンテンツ管理画面２０１を生成しユーザ端末２００側で表示するよう促す。コンテンツ管理画面２０１では、リストの各コンテンツにて「該当カテゴリ」、「エリア」、「シーズン」のタブを表示する。
【００９２】
コンテンツ管理画面２０１にて、エリア切り替え用のタブ（この例では、Nagoya）がタップ又はクリックされると、ツリーメニューが表示され、該メニューの中で所望とする県の選択を促す。選択されると、県別画面に表示を切り替え、チェックボックで旅行代理店用トップ画面に掲載を所望とするコンテンツを決定するよう促し、決定され決定ボタンがタップ又はクリックされると、制御部１０１では、こうして決定されたコンテンツをクライアントと紐づけしてコンテンツＤＢ１０４ｂに格納する。
【００９３】
制御部１０１では、画面生成部１５０ｃが、コンテンツＤＢ１０４ｂを参照して、旅行代理店用のメンテナンス画面を生成し、コンテンツの追加、削除を促す。そして、確定ボタンがタップ又はクリックされると、制御部１０１では、画面生成部１５０ｃが旅行代理店用トップ画面を自動生成する。
【００９４】
第５の実施形態では、選ばれたコンテンツに紐づけられたこのＤＢ属性を利用し、その代理店用のメニュー（下位カテゴリも）を動的に生成する仕組みを作る。すなわち、すべてのメニューがデフォルトで先にありきではない。
【００９５】
図１９に示されるように、主制御部１５０ｇが、カテゴリの選択項目から選んだコンテンツをリスト化し、画面生成部１５０ｃが、コンテンツ管理画面２０１を生成し、ユーザ端末２００側で表示するように促してもよい。あるいは、図２０に示されるように、主制御部１５０ｇが、シーズンの選択項目から選んだコンテンツをリスト化し、画面生成部１５０ｃが、コンテンツ管理画面２０１を生成し、ユーザ端末２００側で表示するように促してもよいことは勿論である。
【００９６】
図２０に示されるような選択手法を採る場合、シーズンメニュー画面２０４の選択項目から「January」を選択すると、画面２０５に遷移し、ユーザ端末２００側ではJanuary Contentsが表示される。この中で、所望とするコンテンツ２０５ａが選択されると、主制御部１５０ｇは、このコンテンツに紐付けされたカテゴリをコンテンツ管理画面２０１に追加する。そして、コンテンツ管理画面２０１にて、所望とするコンテンツが選択されると、画面生成部１５０ｃにより旅行代理店用トップ゜画面２０２が生成され、ユーザ端末２００にて表示するように促す。
【００９７】
図２１（ａ）には、旅行代理店用トップ画面２０２の一例を示している。この旅行代理店用トップ画面２０２では、動画再生ページへ移行するアイコンが表示されている。このアイコンの中から、所望とする動作再生ページのアイコンがタップ又はクリック等されて選択されると、図２１（ｂ）に示されるような動画再生ページの画面２０５に遷移することになる。
【００９８】
この動作再生ページの画面２０５では、交通機関アイコンも表示可能である。交通機関アイコンとしては、高速バス、ＪＲ＋バス、ＪＲ＋タクシーの別にアイコンを設けることも可能である。また、提携宿表示、提携交通機関も可能であり、ＶＩＰチャータへの申込画面へのリンクを貼ることも可能である。
【００９９】
また、画面２０５では、ツアーボタンも表示可能であり、ツアーボタンが選択された場合には、スキー用ツアー申込画面へ（ツアー申込画面）に遷移する。
【０１００】
このように第５実施形態によれば、動画再生ページへのリンクが貼られた旅行代理店用トップ画面を自動生成することが可能となる。即ち、０／４理論及びＫＪ法に基づいて階層構造化されたオントロジーを参照して、入力されたキーワードについて検索を実行する検索部と、上記検索部により抽出された各Ｗｅｂサイトのコンテンツに基づいて管理画面を生成しコンテンツの選択を促し、該コンテンツの選択に基づいて旅行代理店トップ画面を生成する画面生成部と、を備えたシステムが提供される。
【０１０１】
以上、本発明の第１乃至第５実施形態について説明したが、本発明はこれに限定されることなくその趣旨を逸脱しない範囲で種々の改良・変更が可能であることは勿論である。
【０１０２】
例えば、情報プラットフォームに蓄積される情報は、前述したものに限らず、種々のソースからの情報を蓄積することができ、０／４理論、ＫＪ法に基づいて階層構造化されたオントロジーで使用可能な状態で保持することができる。これは、広義のキーワードに基づいて構築されたオントロジーは、それに包含される狭義のキーワードにも柔軟に適用可能であることを意味する。
【符号の説明】
【０１０３】
１  ツアープラン生成システム
２  検索システム
３  検索部
４  投稿解析部
５  翻訳部
６  経路探索部
７  決済部
８  ＤＲＭ部
９  ツアープラン生成部
１０  オントロジー生成部
１１  タグ埋込部
１２  マイページ生成部
１３  ＷａｎｎａｇｏオントロジーＤＢ
１４  ＳＮＳメンバーＤＢ
２０  プラットフォーム
【図１】
2018018183.tif 000003
【図２】
2018018183.tif 000004
【図３】
2018018183.tif 000005
【図４】
2018018183.tif 000006
【図５】
2018018183.tif 000007
【図６】
2018018183.tif 000008
【図７】
2018018183.tif 000009
【図８】
2018018183.tif 000010
【図９】
2018018183.tif 000011
【図１０】
2018018183.tif 000012
【図１１】
2018018183.tif 000013
【図１２】
2018018183.tif 000014
【図１３】
2018018183.tif 000015
【図１４】
2018018183.tif 000016
【図１５】
2018018183.tif 000017
【図１６】
2018018183.tif 000018
【図１７】
2018018183.tif 000019
【図１８】
2018018183.tif 000020
【図１９】
2018018183.tif 000021
【図２０】
2018018183.tif 000022
【図２１】
2018018183.tif 000023